(57)【特許請求の範囲】
【請求項１】
液透過性の表面シートと液不透過性の裏面シートの間に液保持性の吸収層を介在させた吸収性物品の前方部及び／又は後方部に、該表面シートと該吸収層との間に介在させた防漏性シートを該吸収性物品の長手方向と直交する方向に該表面シートと共に折り重ねることにより防漏壁として機能する折り返し部を形成した、吸収性物品の製造方法であって、
上記表面シートを搬送する断面円形の回転体と、該回転体の周面を可変速度で移動して上記折り返し部を形成する第１パッド及び第２パッドとを備えた折り込み機構部により、上記防漏性シートを所定間隔を置いて配置させた帯状の上記表面シートを、その長手方向を搬送方向として搬送させ、該表面シートが該折り込み機構部の周面に巻き付きながら搬送する間に、該防漏性シートを該表面シートと共に折り重ねることにより上記折り返し部を形成し、その後、上記吸収層を所定間隔を置いて上記裏面シートに配置させると共に、該吸収層を挟持させて該裏面シートを該表面シートに貼り合わせるようにした
ことを特徴とする吸収性物品の製造方法。
【請求項２】
液透過性の表面シートと液不透過性の裏面シートの間に液保持性の吸収層を介在させた吸収性物品の前方部及び／又は後方部に、該吸収層を該吸収性物品の長手方向と直交する方向に該表面シートと共に折り重ねることにより防漏壁として機能する折り返し部を形成した、吸収性物品の製造方法であって、
上記表面シートを搬送する断面円形の回転体と、該回転体の周面を可変速度で移動して上記折り返し部を形成する第１パッド及び第２パッドとを備えた折り込み機構部により、上記吸収層を所定間隔を置いて配置させた帯状の上記表面シートを、その長手方向を搬送方向として搬送させ、該表面シートが該折り込み機構部の周面に巻き付きながら搬送する間に、該吸収層を該表面シートと共に折り重ねることにより上記折り返し部を形成し、その後、該表面シートに、該吸収層を挟み込むようにして上記裏面シートを貼り合わせるようにした
ことを特徴とする吸収性物品の製造方法。
【発明の詳細な説明】
【０００１】
【発明の属する技術分野】
本発明は、例えば生理用ナプキン、失禁者用パッド、外科用パッド等として使用される吸収性物品の製造方法に関し、詳しくは主として後方部からの漏れを防止できる吸収性物品の製造方法に関する。
【０００２】
【従来の技術及び発明が解決しようとする課題】
例えば、生理用ナプキン、失禁者用パッド、外科用パッド等として使用される吸収性物品には、血液や尿等の体液を漏れなく吸収・保持できることはもちろんのこと、液漏れが無いことが要求される。
【０００３】
例えば実開平７−２４３１８号公報には、被覆シートの長さ方向に弾性体を伸張状態で固定させることにより被覆フラップを表面シートから起立させ、該被覆フラップによって液漏れを防止するようにした、生理用ナプキンが開示されている。
かかる被覆フラップは、生理用ナプキンの長手方向両側縁に沿って形成されており、該生理用ナプキンの長手方向両側縁からの液漏れが防止できるようになされている。
【０００４】
しかし、上記構成の生理用ナプキンでは、両側面からの液漏れには有効であるものの、特に就寝時等において後方部からの液漏れを十分に防止することができない。また、この生理用ナプキンを製造するに当たっては、被覆フラップを形成するために弾性体を伸張状態で被覆シートに固定させる必要があると共に、各吸収層毎に弾性体を配置させる必要がある。このため、製造工程が煩雑でしかもその作業が面倒であり、生産スピードを上げることができず、生産性の向上が図れない。
【０００５】
従って、本発明の目的は、主として後方部からの漏れが無い吸収性物品を生産性良く製造することのできる吸収性物品の製造方法を提供することにある。
【０００６】
【課題を解決するための手段】
請求項１記載の発明は、液透過性の表面シートと液不透過性の裏面シートの間に液保持性の吸収層を介在させた吸収性物品の前方部及び／又は後方部に、該表面シートと該吸収層との間に介在させた防漏性シートを該吸収性物品の長手方向と直交する方向に該表面シートと共に折り重ねることにより防漏壁として機能する折り返し部を形成した、吸収性物品の製造方法であって、上記表面シートを搬送する断面円形の回転体と、該回転体の周面を可変速度で移動して上記折り返し部を形成する第１パッド及び第２パッドとを備えた折り込み機構部により、上記防漏性シートを所定間隔を置いて配置させた帯状の上記表面シートを、その長手方向を搬送方向として搬送させ、該表面シートが該折り込み機構部の周面に巻き付きながら搬送する間に、該防漏性シートを該表面シートと共に折り重ねることにより上記折り返し部を形成し、その後、上記吸収層を所定間隔を置いて上記裏面シートに配置させると共に、該吸収層を挟持させて該裏面シートを該表面シートに貼り合わせるようにしたことを特徴とする吸収性物品の製造方法を提供することにより、上記の目的を達成したものである。
【０００７】
請求項２記載の発明は、液透過性の表面シートと液不透過性の裏面シートの間に液保持性の吸収層を介在させた吸収性物品の前方部及び／又は後方部に、該吸収層を該吸収性物品の長手方向と直交する方向に該表面シートと共に折り重ねることにより防漏壁として機能する折り返し部を形成した、吸収性物品の製造方法であって、上記表面シートを搬送する断面円形の回転体と、該回転体の周面を可変速度で移動して上記折り返し部を形成する第１パッド及び第２パッドとを備えた折り込み機構部により、上記吸収層を所定間隔を置いて配置させた帯状の上記表面シートを、その長手方向を搬送方向として搬送させ、該表面シートが該折り込み機構部の周面に巻き付きながら搬送する間に、該吸収層を該表面シートと共に折り重ねることにより上記折り返し部を形成し、その後、該表面シートに、該吸収層を挟み込むようにして上記裏面シートを貼り合わせるようにしたことを特徴とする吸収性物品の製造方法を提供することにより、上記の目的を達成したものである。
【０００８】
【発明の実施の形態】
以下、本発明を適用した具体的な吸収性物品の製造方法の一実施形態について図面を参照しながら詳細に説明する。本実施形態は、本発明方法を生理用ナプキンを製造する方法に適用した例である。
【０００９】
図１は吸収性物品の製造装置を示す概略構成図、図２は折り込み機構部を示す概略構成図、図３はパッドが移動した状態の折り込み機構部を示す概略構成図、図４は折り込み機構部によって折り返し部を形成する状態を示す要部拡大断面図、図５は防漏性シートを表面シートと共に折り重ねることにより折り返し部を形成した吸収性物品の斜視図、図６は図５に示す吸収性物品の縦断面図、図７は図５に示す吸収性物品のＡ−Ａ線位置における要部拡大断面図、図８は折り返し部を同一方向に折り曲げた例を示す吸収性物品の縦断面図、図９は吸収層を表面シートと共に折り重ねることにより折り返し部を形成した吸収性物品の縦断面図、図１０は図９に示す吸収性物品の折り返し部の要部拡大断面図である。
なお、図６、図８及び図９は、折り返し部の向きが明瞭となるように、断面構造に関しては簡略化して示してある。
【００１０】
始めに、本発明方法によって製造される吸収性物品の構造及びその製造装置について説明する。
吸収性物品４は、図５及び図６に示すように、吸収層３を表面シート１及び裏面シート２によってその上下方向から挟み込むようにして、該吸収層３の周縁部をホットメルト等の手段によって該表面シート１と裏面シート２とを接着固定することにより形成されている。かかる構成については、従来公知技術の生理用ナプキンと同一構成である。また、表面シート１、裏面シート２及び吸収層３に使用される材料も従来公知のものと同様である。
【００１１】
そして特に本実施形態の吸収性物品４においては、長手方向の前方部及び後方部にそれぞれ防漏壁として機能する折り返し部６，６が形成されている。かかる折り返し部６，６は、図６及び図７に示すように、吸収性物品４の長手方向における前方部及び後方部にそれぞれ表面シート１と吸収層３との間に介在させた防漏性シート５を、該吸収性物品４の長手方向と直交する方向に該表面シート１と共に折り重ねることにより形成してある。
【００１２】
具体的には、表面シート１の一部を吸収性物品４の長手方向と直交する方向に弛ませ且つその弛み部分に介在させた防漏性シート５を該表面シート１と共に垂直に起立させた後、起立する表面シート１及び防漏性シート５を、吸収性物品４の前方部及び後方部にそれぞれ水平に折り返すことにより、上記折り返し部６，６を形成している。これら折り返し部６，６は、前方部及び後方部においてそれぞれ逆向きとされている。
【００１３】
そして、上記折り返し部６，６は、図５及び図７に示すように、吸収性物品４の長手方向における長さＬが１０〜３０ｍｍ、吸収性物品４本体からの高さＨが５〜２０ｍｍとされている。上記折り返し部６，６の長さＬが１０ｍｍ未満であると、防漏効果が減少し、３０ｍｍ超であると、人体への接触面積が大きいためにせき止められた体液により不快感を与えてしまう場合がある。また、吸収性物品４本体からの高さＨが５ｍｍ未満であると、人体の圧着力が小さいために防漏効果が減少し、２０ｍｍ超であると、人体への圧着力が大きいために装着感が低下してしまう。
【００１４】
上記構成の吸収性物品４によれば、該吸収性物品４の長手方向における前方部及び後方部にそれぞれ形成された折り返し部６，６が防漏壁として機能して、それぞれの端部へと流れる血液等の体液をせき止めることができる。従って、折り返し部６，６によってせき止められた体液は、漏れることなく表面シート１を介して吸収層３に吸収されることになる。もちろん、上記吸収性物品４の側部に関しても、体液の液漏れを防止できる。すなわち、表面シート１は裏面シート２側に巻き込まれて該裏面シート２と接着されているので、側部への液漏れも防止される。
【００１５】
次に、上記構成の吸収性物品４を製造する製造装置について簡単に説明する。製造装置は、図１に示すように、折り返し部６，６を形成させるための折り込み機構部７と、この折り込み機構部７を挟んで両側にそれぞれ設けられた第１の案内ロール８及び第２の案内ロール９と、吸収層３を裏面シート２に固定させる接着機構部１０とを有している。
なお、上記折り込み機構部７は、従来この種の分野に使用されるものと同じである。
【００１６】
帯状の表面シート１は、その長手方向を搬送方向として搬送され、第１の案内ロール８に案内されて折り込み機構部７の周面に巻き付けられ、この折り込み機構部７で折り返し部６，６が形成された後、別方向から搬送されて来た吸収層３が接着された裏面シート２が、第２の案内ロール９にて上記表面シート１に重ね合わされるようになっている。
【００１７】
上記折り込み機構部７は、図２及び図３に示すように、大小３つづつからなる合計６個の扇形状をなす第１パッド１１ａ，１１ｂ，１１ｃ及び第２パッド１２ａ，１２ｂ，１２ｃが、一番外側の円（断面円形の回転体）１３上を可変速度で移動するように構成されている。そして、この折り込み機構部７では、表面シート１の入口側及び出口側での第１パッド１１ａ，１１ｂ，１１ｃ及び第２パッド１２ａ，１２ｂ，１２ｃの速度差を利用して表面シート１に発生する弛み分をパッド間に押し込んで、防漏性シート５を表面シート１と共に折り重ねて折り返し部６，６を形成するようになっている。
【００１８】
第１パッド１１ａ，１１ｂ，１１ｃ及び第２パッド１２ａ，１２ｂ，１２ｃは、いずれも上記円１３の中心Ｃ１に対して偏心した位置Ｃ２を回転中心として、該円１３の周面上を移動するようになっている。すなわち、第１パッド１１ａ，１１ｂ，１１ｃ及び第２パッド１２ａ，１２ｂ，１２ｃには、スライダー１４に形成されたスライド孔１４ａに係合する、回転連結部材１５がそれぞれ取り付けられている。そして、上記スライダー１４は、上記偏心した位置Ｃ２を中心して回転するアーム１６に対しスライド自在に係合するようになされている。
【００１９】
そして、上記アーム１６を回転させると、該アーム１６の回転力によって第１パッド１１ａ，１１ｂ，１１ｃ及び第２パッド１２ａ，１２ｂ，１２ｃがそれぞれ上記円１３の周面上を移動することになる。このとき、アーム１６は、上記円１３の中心Ｃ１から偏心した位置Ｃ２を中心として回転するために、該アーム１６と上記スライド孔１４との係合位置が次第にずれて行き、そのため第１パッド１１ａ，１１ｂ，１１ｃ及び第２パッド１２ａ，１２ｂ，１２ｃの上記円１３の周面上での移動速度が可変する。
【００２０】
なお、第１パッド１１ａ，１１ｂ，１１ｃは、上記偏心位置Ｃ２を中心として３つのアーム１６間のなす角度θ１を等間隔となるようにして、上記円（回転体）１３の周面上に配置されている。一方、第２パッド１２ａ，１２ｂ，１２ｃは、やはり上記偏心位置Ｃ２を中心として３つのアーム１６間のなす角度θ２を等間隔となるようにして、第１パッド１１ａ，１１ｂ，１１ｃ間にそれぞれ配置されている。本実施形態では、上記角度θ１，θ２をいずれも１２０度としている。
【００２１】
上記構成の折り込み機構部７では、第１の案内ロール８より表面シート１が受け渡される入口側から第２の案内ロール９に受け渡される出口側に亘って次第に第１パッド１１ａ，１１ｂ，１１ｃ及び第２パッド１２ａ，１２ｂ，１２ｃの移動速度が早くなって行く。このため、例えば図２に示すように、入口側での第１パッド１１ｃと第２パッド１２ｃ間の隙間Ｓ１は広いものとなるが、出口側での第１パッド１１ａと第２パッド１２ａ間の隙間Ｓ２は狭くなる。
【００２２】
このように、これら第１パッド１１ａ，１１ｂ，１１ｃ及び第２パッド１２ａ，１２ｂ，１２ｃの速度差を利用することによって発生する表面シート１の弛み部を、第１パッド１１ａ，１１ｂ，１１ｃ及び第２パッド１２ａ，１２ｂ，１２ｃ間の隙間に押し込むことによって折り返し部６，６を形成することができる。
【００２３】
例えば、図４に示すように、パッドの速度差によって発生した表面シート１の弛み部１８を、吸引する等して第１パッド１１ａと第２パッド１２ａ間の隙間Ｓ２に防漏性シート５と共に押し込む。そして、第１パッド１１ａ及び第２パッド１２ａがさらに上記円１３の周面上を移動することによって、これら第１パッド１１ａと第２パッド１２ａ間のピッチが縮まり、該第１パッド１１ａ及び第２パッド１２ａに挟持されて防漏性シート５は表面シート１と共に折り畳まれる。同様に、その後方の第２パッド１２ａと第１パッド１１ｃ間の隙間Ｓ３にも弛んだ表面シート１が防漏性シート５と共に押し込まれることになる。
【００２４】
上記接着機構部１０は、裏面シート２に吸収層３を固定させるためのホットメルト機構部からなる。かかる接着機構部１０は、表面シート１と貼り合わせる前の段階で裏面シート２に吸収層３を固定させるため、第２の案内ロール９の後方に配置されている。
【００２５】
次に、本実施形態の吸収性物品の製造方法について説明する。
本実施形態の吸収性物品の製造方法は、図１及び図５〜図７に示すように、液透過性の表面シート１と液不透過性の裏面シート２の間に液保持性の吸収層３を介在させた吸収性物品４の前方部及び／又は後方部に、該表面シート１と該吸収層３との間に介在させた防漏性シート５を該吸収性物品４の長手方向と直交する方向に該表面シート１と共に折り重ねることにより防漏壁として機能する折り返し部６，６を形成した、吸収性物品４を製造する方法である。
【００２６】
すなわち、先ず図１に示すように、防漏性シート５を所定間隔を置いて配置させた帯状の表面シート１を、その長手方向を搬送方向として折り込み機構部７に搬送させる。表面シート１の長手方向というのは、具体的には吸収性物品４の長手方向（図５中矢印Ｘで示す方向）に相当する。
【００２７】
そして、上記表面シート１が折り込み機構部７の周面に巻き付きながら搬送する間に、上記防漏性シート５が表面シート１と共に折り重ねられて折り返し部６，６が形成される。一方、接着機構部１０によって吸収層３が所定間隔を置いて固定された裏面シート２を、折り返し部６，６が形成された表面シート１に対して、該吸収層３を挟持させるようにして上記第２の案内ロール９と折り込み機構部７間において貼り合わせる。その後、折り返し部６，６をロール等によって押し潰し、外形切断することによって、図５ないし図７に示す吸収性物品４が製造される。
【００２８】
以上、本発明によれば、製品の流れ方向を変えずに、吸収性物品４の長手方向と直交する方向に折り返し部６，６を連続して形成することができ、加工ラインの短縮を図ることのできる生産性に優れた吸収性物品の製造方法を提供することができる。
【００２９】
以上、本発明を適用した吸収性物品の製造方法は、上述した実施形態に制限されることなく、本発明の要旨を逸脱しない限り適宜変更が可能である。
例えば、上述の実施形態では、図６に示すように、吸収性物品４の前方部及び後方部に形成した折り返し部６，６を互いに逆向きとして形成したが、図８に示すように、これら折り返し部６，６を同一方向に形成するようにしてもよい。
【００３０】
また、上述の実施形態では、吸収性物品４の前方部及び後方部にそれぞれ折り返し部６，６を形成したが、折り返し部６はいずれか一方に形成されていればよい。また、上述の実施形態では、発明方法を生理用ナプキンに適用したが、失禁者用パッド、外科用パッド等に本発明方法を適用することもできる。
【００３１】
また、吸収層３を所定間隔を置いて配置させた帯状の表面シート１を、その長手方向を搬送方向として折り込み機構部７に搬送させ、該表面シート１が該折り込み機構部７の周面に巻き付きながら搬送する間に、該吸収層３を該表面シート１と共に折り重ねることにより折り返し部６，６を形成し、その後、該表面シート１に、該吸収層３を挟み込むようにして上記裏面シート２を貼り合わせるようにしてもよい。その結果、製造される吸収性物品４は、図９及び図１０に示す構造となる。
【００３２】
【発明の効果】
以上の説明からも明らかなように、本発明によれば、製品の流れ方向を変えずに、吸収性物品の長手方向と直交する方向に折り返し部を連続して形成することができ、しかも加工ラインの短縮を図ることのできる生産性に優れた吸収性物品の製造方法を提供することができる。
【図面の簡単な説明】
【図１】本発明方法によって製造される吸収性物品の製造装置を示す概略構成図である。
【図２】図１に示す製造装置の折り込み機構部を示す概略構成図である。
【図３】パッドが移動した状態の折り込み機構部を示す概略構成図である。
【図４】図２に示す折り込み機構部によって折り返し部を形成する状態を示す要部拡大断面図である。
【図５】防漏性シートを表面シートと共に折り重ねることにより折り返し部を形成した吸収性物品の斜視図である。
【図６】図５に示す吸収性物品の縦断面図である。
【図７】図５に示す吸収性物品のＡ−Ａ線位置における要部拡大断面図である。
【図８】折り返し部を同一方向に折り曲げた例を示す吸収性物品の縦断面図である。
【図９】吸収層を表面シートと共に折り重ねることにより折り返し部を形成した吸収性物品の縦断面図である。
【図１０】図９に示す吸収性物品の折り返し部の要部拡大断面図である。
【符号の説明】
１  表面シート
２  裏面シート
３  吸収層
４  吸収性物品
５  防漏性シート
６  折り返し部
７  折り込み機構部
【図１】
0003607038.tif 000002
【図２】
0003607038.tif 000003
【図３】
0003607038.tif 000004
【図４】
0003607038.tif 000005
【図５】
0003607038.tif 000006
【図６】
0003607038.tif 000007
【図７】
0003607038.tif 000008
【図８】
0003607038.tif 000009
【図９】
0003607038.tif 000010
【図１０】
0003607038.tif 000011